(57)【特許請求の範囲】
【請求項１】
（ａ）第１端子と、該第１端子が装填された第１ハウジングとを有する第１コネクタと、
（ｂ）前記第１端子と接触する第２端子と、該第２端子が装填された第２ハウジングとを有し、前記第１コネクタと嵌合する第２コネクタとを含むコネクタであって、
（ｃ）前記第１端子は、前記第１ハウジングの長手方向に延在する列を形成するように並べて配列され、かつ、列内において隣接する第１端子同士が前記第１ハウジングの幅方向に関して互いに逆向きになるように装填され、
（ｄ）前記第２端子は、前記第２ハウジングの長手方向に延在する列を形成するように並べて配列され、かつ、列内において隣接する第２端子同士が前記第２ハウジングの幅方向に関して互いに逆向きになるように装填され、
（ｅ）前記第１端子は前記第２端子と嵌合する相手方端子嵌合部を備え、該相手方端子嵌合部は前記第１端子の配列方向に関してオーバーラップし、
（ｆ）前記第２端子は前記第１端子と嵌合する相手方端子嵌合部を備え、該相手方端子嵌合部は前記第２端子の配列方向に関してオーバーラップすることを特徴とするコネクタ。
【請求項２】
前記第１端子は前記第１コネクタが実装される実装部材に接続されるテール部を備え、該テール部の平面配置が千鳥状であり、
前記第２端子は前記第２コネクタが実装される実装部材に接続されるテール部を備え、該テール部の平面配置が千鳥状である請求項１に記載のコネクタ。
【請求項３】
前記第１ハウジングの幅方向両側における第１端子のテール部の配列方向のピッチは、前記第１端子の配列方向のピッチの倍であり、
前記第２ハウジングの幅方向両側における第２端子のテール部の配列方向のピッチは、前記第２端子の配列方向のピッチの倍である請求項２に記載のコネクタ。
【請求項４】
前記第１端子の相手方端子嵌合部はＵ字の側面形状を備え、
前記第２端子の相手方端子嵌合部はＵ字の側面形状を備え、前記第１端子の相手方端子嵌合部内に収容される請求項１に記載のコネクタ。
【請求項５】
前記第１コネクタは、基板と基板とを接続する基板対基板コネクタの一方であり、
前記第２コネクタは、前記基板対基板コネクタの他方である請求項１〜４のいずれか１項に記載のコネクタ。
【請求項６】
前記第１コネクタと第２コネクタとが嵌合した状態において、
互いに接触する第１端子及び第２端子のテール部は、前記第１ハウジング及び第２ハウジングの幅方向逆側に位置する請求項２〜５のいずれか１項に記載のコネクタ。
【請求項７】
前記第１コネクタと第２コネクタとが嵌合した状態において、
互いに接触する第１端子及び第２端子同士は、複数点で接触する請求項１〜６のいずれか１項に記載のコネクタ。
【発明の詳細な説明】
【技術分野】
【０００１】
本発明は、コネクタに関するものである。
【背景技術】
【０００２】
従来、一対の平行な回路基板同士を電気的に接続するために、基板対基板コネクタ等のコネクタが使用されている。このようなコネクタは、一対の回路基板における相互に対向する面の各々に取付けられ、該面から突出するコネクタ部を備えている（例えば、特許文献１参照。）。
【０００３】
図９は従来のコネクタを示す斜視図である。なお、図において、（ａ）はレセプタクルコネクタを示す図、（ｂ）はプラグコネクタを示す図である。
【０００４】
図において、８０１は図示されない第１回路基板に取付けられるレセプタクルコネクタであり、９０１は図示されない第２回路基板に取付けられるプラグコネクタである。そして、前記レセプタクルコネクタ８０１は絶縁性材料から成るレセプタクルハウジング８１１に装填（てん）された複数のレセプタクル端子８６１を備え、前記プラグコネクタ９０１は絶縁性材料から成るプラグハウジング９１１に装填された複数のプラグ端子９６１を備える。
【０００５】
また、レセプタクルハウジング８１１には、プラグハウジング９１１を収容する凹部８１２が形成されるとともに、該凹部８１２内には係合凸部８１３が形成されている。一方、プラグハウジング９１１には、係合凸部８１３を収容する係合凹部９１３が形成されている。
【０００６】
そして、レセプタクルコネクタ８０１とプラグコネクタ９０１とが嵌（かん）合すると、係合凸部８１３と係合凹部９１３とが互いに係合するとともに、対応するレセプタクル端子８６１とプラグ端子９６１とが相互に係合することによって、第１回路基板と第２回路基板とが電気的に接続される。
【０００７】
なお、嵌合の際には、レセプタクルコネクタ８０１又はプラグコネクタ９０１のいずれか一方が図に示される姿勢とは上下逆様となって、相手方のコネクタと嵌合する。
【先行技術文献】
【特許文献】
【０００８】
【特許文献１】特開２００９−１６３６５号公報
【発明の概要】
【発明が解決しようとする課題】
【０００９】
しかしながら、前記従来のコネクタにおいては、レセプタクル端子８６１が２列に並んで配列され、対応するプラグ端子９６１も２列に並んで配列されているので、幅を狭くすることが困難であった。幅を狭くしようとすると、レセプタクルハウジング８１１及びプラグハウジング９１１の各部の肉厚を薄くする必要があり、レセプタクルハウジング８１１及びプラグハウジング９１１の強度が低下してしまう。また、レセプタクル端子８６１及びプラグ端子９６１を小型化する必要もあり、レセプタクル端子８６１及びプラグ端子９６１の製作が困難になる。
【００１０】
本発明は、前記従来のコネクタの問題点を解決して、一つの列内で向きが左右交互になるように端子を配列することによって、強度を低下させることなく幅を狭くすることができ、確実に実装を行うことができ、製造コストが低く、信頼性の高いコネクタを提供することを目的とする。
【課題を解決するための手段】
【００１１】
そのために、本発明のコネクタにおいては、第１端子と、該第１端子が装填された第１ハウジングとを有する第１コネクタと、前記第１端子と接触する第２端子と、該第２端子が装填された第２ハウジングとを有し、前記第１コネクタと嵌合する第２コネクタとを含むコネクタであって、前記第１端子は、前記第１ハウジングの長手方向に延在する列を形成するように並べて配列され、かつ、列内において隣接する第１端子同士が前記第１ハウジングの幅方向に関して互いに逆向きになるように装填され、前記第２端子は、前記第２ハウジングの長手方向に延在する列を形成するように並べて配列され、かつ、列内において隣接する第２端子同士が前記第２ハウジングの幅方向に関して互いに逆向きになるように装填され、前記第１端子は前記第２端子と嵌合する相手方端子嵌合部を備え、該相手方端子嵌合部は前記第１端子の配列方向に関してオーバーラップし、前記第２端子は前記第１端子と嵌合する相手方端子嵌合部を備え、該相手方端子嵌合部は前記第２端子の配列方向に関してオーバーラップする。
【００１２】
本発明の他のコネクタにおいては、さらに、前記第１端子は前記第１コネクタが実装される実装部材に接続されるテール部を備え、該テール部の平面配置が千鳥状であり、前記第２端子は前記第２コネクタが実装される実装部材に接続されるテール部を備え、該テール部の平面配置が千鳥状である。
【００１３】
本発明の更に他のコネクタにおいては、さらに、前記第１ハウジングの幅方向両側における第１端子のテール部の配列方向のピッチは、前記第１端子の配列方向のピッチの倍であり、前記第２ハウジングの幅方向両側における第２端子のテール部の配列方向のピッチは、前記第２端子の配列方向のピッチの倍である。
【００１５】
本発明の更に他のコネクタにおいては、さらに、前記第１端子の相手方端子嵌合部はＵ字の側面形状を備え、前記第２端子の相手方端子嵌合部はＵ字の側面形状を備え、前記第１端子の相手方端子嵌合部内に収容される。
【００１６】
本発明の更に他のコネクタにおいては、さらに、前記第１コネクタは、基板と基板とを接続する基板対基板コネクタの一方であり、前記第２コネクタは、前記基板対基板コネクタの他方である。
【００１７】
本発明の更に他のコネクタにおいては、さらに、前記第１コネクタと第２コネクタとが嵌合した状態において、互いに接触する第１端子及び第２端子のテール部は、前記第１ハウジング及び第２ハウジングの幅方向逆側に位置する。
【００１８】
本発明の更に他のコネクタにおいては、さらに、前記第１コネクタと第２コネクタとが嵌合した状態において、互いに接触する第１端子及び第２端子同士は、複数点で接触する。
【発明の効果】
【００１９】
本発明によれば、コネクタは、一つの列内で向きが左右交互になるように端子が配列されている。これにより、強度を低下させることなく幅を狭くすることができ、確実に実装を行うことができ、製造コストを低く抑え、信頼性を向上させることができる。
【図面の簡単な説明】
【００２０】
【図１】本発明の第１の実施の形態における第１コネクタ及び第２コネクタの嵌合面側から観た斜視図である。
【図２】本発明の第１の実施の形態における第１コネクタ及び第２コネクタの分解図である。
【図３】本発明の第１の実施の形態における第１コネクタ及び第２コネクタが嵌合した状態を示す平面図であり第１コネクタの嵌合面側から観た図である。
【図４】本発明の第１の実施の形態における第１コネクタ及び第２コネクタが嵌合した状態を示す斜視図であり第１ハウジング及び第２ハウジングの一部を削除した図である。
【図５】本発明の第１の実施の形態における第１コネクタ及び第２コネクタが嵌合した状態を示す断面図であり図３のＡ−Ａ矢視断面図である。
【図６】本発明の第２の実施の形態における第１コネクタ及び第２コネクタが嵌合した状態を示す断面図である。
【図７】本発明の第３の実施の形態における第１コネクタ及び第２コネクタが嵌合した状態を示す斜視図であり第１ハウジング及び第２ハウジングの一部を削除した図である。
【図８】本発明の第３の実施の形態における第１コネクタ及び第２コネクタが嵌合した状態を示す断面図である。
【図９】従来のコネクタを示す斜視図であって、（ａ）はレセプタクルコネクタを示す図、（ｂ）はプラグコネクタを示す図である。
【発明を実施するための形態】
【００２１】
以下、本発明の実施の形態について図面を参照しながら詳細に説明する。
【００２２】
図１は本発明の第１の実施の形態における第１コネクタ及び第２コネクタの嵌合面側から観た斜視図、図２は本発明の第１の実施の形態における第１コネクタ及び第２コネクタの分解図、図３は本発明の第１の実施の形態における第１コネクタ及び第２コネクタが嵌合した状態を示す平面図であり第１コネクタの嵌合面側から観た図、図４は本発明の第１の実施の形態における第１コネクタ及び第２コネクタが嵌合した状態を示す斜視図であり第１ハウジング及び第２ハウジングの一部を削除した図、図５は本発明の第１の実施の形態における第１コネクタ及び第２コネクタが嵌合した状態を示す断面図であり図３のＡ−Ａ矢視断面図である。
【００２３】
図において、１は本実施の形態におけるコネクタである一対の基板対基板コネクタの一方としての第１コネクタであり、実装部材としての図示されない第１基板の表面に実装される表面実装型のコネクタである。また、１０１は本実施の形態におけるコネクタである一対の基板対基板コネクタの他方としての第２コネクタであり、実装部材としての図示されない第２基板の表面に実装される表面実装型のコネクタである。
【００２４】
本実施の形態におけるコネクタは、典型的には、基板対基板コネクタと称されるものであって、前記第１コネクタ１及び第２コネクタ１０１を含み、第１基板及び第２基板を電気的に接続する。なお、前記第１基板及び第２基板は、例えば、電子機器等に使用されるプリント回路基板、フレキシブルフラットケーブル（ＦＦＣ：Ｆｌｅｘｉｂｌｅ  Ｆｌａｔ  Ｃａｂｌｅ）、フレキシブル回路基板（ＦＰＣ：Ｆｌｅｘｉｂｌｅ  Ｐｒｉｎｔｅｄ  Ｃｉｒｃｕｉｔ）等であるが、いかなる種類の基板であってもよい。
【００２５】
また、本実施の形態において、コネクタの各部の構成及び動作を説明するために使用される上、下、左、右、前、後等の方向を示す表現は、絶対的なものでなく相対的なものであり、前記コネクタの各部が図に示される姿勢である場合に適切であるが、その姿勢が変化した場合には姿勢の変化に応じて変更して解釈されるべきものである。
【００２６】
そして、前記第１コネクタ１は、合成樹脂等の絶縁性材料によって一体的に形成されたコネクタ本体としての第１ハウジング１１を有する。該第１ハウジング１１は、図に示されるように、概略直方体である概略長方形の厚板状の形状を備え、第２コネクタ１０１が嵌入される側、すなわち、嵌合面側（図１における上側）には、周囲が囲まれた概略長方形の凹部１２が形成されている。前記第１コネクタ１は、例えば、縦約４．０〔ｍｍ〕、横約２．５〔ｍｍ〕及び厚さ約１．０〔ｍｍ〕の寸法を備えるものであるが、寸法は適宜変更することができる。そして、前記凹部１２の両側には互いに平行に延在する一対の側壁部１４が第１ハウジング１１と一体的に形成されている。なお、前記側壁部１４は、凹部１２の底面から上方に向けて突出し、第１ハウジング１１の長手方向に延在する。つまり、第１ハウジング１１の横断面の概略形状は、突出する二つの山（側壁部１４）の間に一つの谷（凹部１２）が挟まれた、二山状となっている。
【００２７】
ここで、各側壁部１４の側面及び上面には、凹溝状の第１端子収容内側キャビティ１５ａと第１端子収容外側キャビティ１５ｂとが交互に形成され、かつ、一方の側壁部１４における第１端子収容内側キャビティ１５ａの各々が、凹部１２を間に挟んで、他方の側壁部１４における第１端子収容外側キャビティ１５ｂの各々と対向するように配列されている。また、図４及び５に示されるように、第１端子収容外側キャビティ１５ｂにおける側壁部１４の上面に対応する部分には、側壁部１４を上下に貫通する端子固定孔（こう）１６が形成されている。
【００２８】
そして、凹部１２の左右において互いに対向する第１端子収容内側キャビティ１５ａと第１端子収容外側キャビティ１５ｂとは、凹部１２の底面において連結され互いに一体化している。そこで、第１端子収容内側キャビティ１５ａと第１端子収容外側キャビティ１５ｂとを統合的に説明する場合には、第１端子収容キャビティ１５として説明する。
【００２９】
図に示される例において、第１端子収容キャビティ１５は、例えば、約０．２〔ｍｍ〕のピッチで、６個形成されている。つまり、各側壁部１４に第１端子収容内側キャビティ１５ａと第１端子収容外側キャビティ１５ｂとが交互に３個ずつ形成されている。なお、前記第１端子収容キャビティ１５のピッチ及び数は適宜変更することができる。例えば、前記第１端子収容キャビティ１５の数を偶数個でなく、奇数個とすることもできる。
【００３０】
そして、第１端子収容キャビティ１５に収容される第１端子６１は、向きが左右交互になるように配列される。
【００３１】
前記第１端子６１は、導電性の金属板に打抜き等の加工を施すことによって一体的に形成された部材であり、被保持部６３と、該被保持部６３の上端に接続された上側接続部６７と、該上側接続部６７の外方端に接続されたテール部６２と、前記上側接続部６７の内方端に接続された上下接続部６６と、該上下接続部６６の下端に接続された下側接続部６４と、該下側接続部６４の自由端近傍に形成された接触部として機能する腕部６５とを備える。なお、前記第１端子６１は、全体として、Ｕ字とＦ字とを接続したような側面形状を備え、Ｕ字の部分は、前記上下接続部６６、下側接続部６４及び腕部６５を含み、相手方端子である第２端子１６１の進入部１６８を収容する相手方端子嵌合部としての相手方端子収容部６８として機能する。
【００３２】
そして、前記被保持部６３は、上下方向、すなわち、第１ハウジング１１の厚さ方向に延在し、前記端子固定孔１６に嵌入されて保持される部分である。なお、前記被保持部６３の下端部、すなわち、実装面側端部の近傍の側面には、凸部６３ａ及び凹部６３ｂが形成されている。そして、第１端子６１を第１ハウジング１１に装填する際には、第１端子６１を第１ハウジング１１の嵌合面側から嵌合方向に移動させて、すなわち、図４及び５における上方から下方に移動させて、第１端子収容キャビティ１５に挿入する際に、前記被保持部６３は、端子固定孔１６内に上方から圧入される。この場合、被保持部６３の凹部６３ｂが端子固定孔１６の側面から突出する凸部１６ａと係合する。また、前記被保持部６３の下端部は端子固定孔１６の凸部１６ａの下方に突出し、凸部６３ａが、端子固定孔１６の凸部１６ａの下面と係合する。これにより、被保持部６３を反嵌合方向に移動させて端子固定孔１６から抜出すことができなくなるので、第１端子６１は第１ハウジング１１に固定される。
【００３３】
また、前記テール部６２は、上下方向に、前記被保持部６３とほぼ平行に延在し、第１端子収容外側キャビティ１５ｂにおける側壁部１４の外側面に形成された部分に収容される。そして、前記テール部６２の下端は、左右方向、すなわち、第１ハウジング１１の幅方向に延在し、第１基板上の導電トレースに連結された端子接続パッドにはんだ付等によって接続される。前記テール部６２の下端から腕部６５までの第１端子６１の部材に沿った道筋は、距離が長く、かつ、複雑に屈折しているので、はんだ上がりの現象が発生することがない。すなわち、はんだが前記部材に沿った道筋を通って這（は）い上がって腕部６５に付着してしまうことがない。
【００３４】
前記上側接続部６７は、左右方向、すなわち、第１ハウジング１１の幅方向に延在し、第１端子収容外側キャビティ１５ｂにおける側壁部１４の上面に形成された部分に収容される。そして、前記上側接続部６７の内方端には、前記相手方端子収容部６８が接続されている。具体的には、上側接続部６７の内方端に下方に向けて延出する上下接続部６６の上端が接続され、該上下接続部６６の下端に左右方向、すなわち、第１ハウジング１１の幅方向に延在する下側接続部６４の一端が接続され、該下側接続部６４の他端に上方に向けて延出する腕部６５の下端が接続されている。なお、該腕部６５の自由端、すなわち、上端の近傍には、第２端子１６１と接触する接触凸部６５ａが形成されている。該接触凸部６５ａは、上下接続部６６の方に向けて突出する。
【００３５】
また、前記第１ハウジング１１の長手方向両端には第１嵌合ガイド部としての第１突出端部２１が各々配設されている。各第１突出端部２１には、前記凹部１２の一部として突出端凹部２２が形成されている。該突出端凹部２２は、略長方形の凹部であり、凹部１２の長手方向両端に位置する。そして、前記突出端凹部２２は、第１コネクタ１及び第２コネクタ１０１が嵌合された状態において、該第２コネクタ１０１が備える第２突出端部１２２が挿入される挿入凹部として機能する。
【００３６】
さらに、前記第１突出端部２１は、側壁部１４の長手方向両端から第１ハウジング１１の長手方向に延出する側壁延長部２１ｂと、第１ハウジング１１の短手方向に延在し、両端が側壁延長部２１ｂに接続された端壁部２１ｃとを備える。各第１突出端部２１において、端壁部２１ｃとその両端に接続された側壁延長部２１ｂとは、連続したコ字状の側壁を形成し、略長方形の突出端凹部２２の三方を画定する。
【００３７】
なお、前記第１端子６１の下側接続部６４の下方には、第１ハウジング１１の底板部１８が配設されている。このように、前記下側接続部６４と第１基板の実装面との間に底板部１８が介在するので、下側接続部６４が第１基板の実装面に接触してしまうことがない。そのため、第１基板の実装面における第１コネクタ１の下側の部分にも導電トレースを配設することができるので、第１基板の導電トレースの配列を高密度化することができる。
【００３８】
そして、前述のように、第１端子６１は、向きが左右交互になるように配列されて、第１ハウジング１１に装填される。具体的には、第１端子６１は、第１コネクタ１の長手方向、すなわち、第１ハウジング１１の長手方向に延在する列を形成するように並べて配設されるが、列内において隣接する第１端子６１同士は、第１コネクタ１の幅方向、すなわち、第１ハウジング１１の幅方向に関して、互いに逆向きになっている。換言すると、図３に示されるように、ある一つの第１端子６１が、そのテール部６２が左に位置する、すなわち、左側の側壁部１４の第１端子収容外側キャビティ１５ｂ内に収容されているような向きで第１ハウジング１１に装填されている場合、当該第１端子６１に隣接する第１端子６１は、そのテール部６２が右に位置する、すなわち、右側の側壁部１４の第１端子収容外側キャビティ１５ｂ内に収容されているような向きで第１ハウジング１１に装填されるようになっている。
【００３９】
これにより、第１端子６１のテール部６２の平面配置は、図３に示されるように、第１端子６１の配列方向（第１ハウジング１１の長手方向）に関して、交互にずれた千鳥状の配置となる。換言すると、ある一つの第１端子６１のテール部６２が左側の側壁部１４の外面に位置する場合、右側の側壁部１４の外面における対向する位置にはテール部６２が存在せず、当該第１端子６１と隣接する第１端子６１のテール部６２は右側の側壁部１４の外面に位置し、かつ、当該第１端子６１のテール部６２の第１ハウジング１１の長手方向に隣接する位置にはテール部６２が存在していない。そのため、左右それぞれの側壁部１４の外面におけるテール部６２の第１ハウジング１１の長手方向に関する間隔、すなわち、ピッチは、第１端子６１のピッチの倍になる。
【００４０】
したがって、隣接する第１端子６１同士のピッチが狭くても、第１コネクタ１の左右両側におけるテール部６２のピッチ、及び、各テール部６２に対応するように第１基板の実装面上に形成された端子接続パッド等のピッチを広くすることができる。そのため、端子接続パッド等を容易に製作することができるとともに、第１端子６１のテール部６２を対応する端子接続パッドとはんだ付する際にも、はんだブリッジが発生することがなく、隣接する端子接続パッド等の間で短絡が生じることがない。
【００４１】
なお、第１端子６１のＵ字の部分である相手方端子収容部６８は、第１端子６１の配列方向に関して、オーバーラップする。隣接する第１端子６１の相手方端子収容部６８同士は、第１ハウジング１１の長手方向両端から観ると、ある程度重なっている。望ましくは、各第１端子６１の相手方端子収容部６８における第１ハウジング１１の幅方向に関する中心を結ぶ線は、第１ハウジング１１の長手方向に延在する直線とほぼ一致する。
【００４２】
これにより、第１コネクタ１は、進入部１６８がオーバーラップするように配列された第２端子１６１を備える第２コネクタ１０１と嵌合可能となる。
【００４３】
該第２コネクタ１０１は、合成樹脂等の絶縁性材料によって一体的に形成されたコネクタ本体としての第２ハウジング１１１を有する。該第２ハウジング１１１は、図に示されるように、概略直方体である概略長方形の厚板状の形状を備え、例えば、縦約３．０〔ｍｍ〕、横約１．５〔ｍｍ〕及び厚さ約０．８〔ｍｍ〕の寸法を備えるものであるが、寸法は適宜変更することができる。そして、第２ハウジング１１１の第１コネクタ１に嵌入される側、すなわち、嵌合面側（図１における上側）には、第２ハウジング１１１の長手方向に延在する細長い凸部としての第２凸部１１２が形成されている。該第２凸部１１２は、第２ハウジング１１１の長手方向の中心軸に沿って形成されている。つまり、第２ハウジング１１１の横断面の概略形状は、突出する一つの山（第２凸部１１２）だけから成る一山状となっている。
【００４４】
なお、第２コネクタ１０１は、図１では嵌合面が上を向くような姿勢で示されているが、第１コネクタ１と嵌合した状態、すなわち、図３〜５に示される状態では、嵌合面が第１コネクタ１の実装面の方向を向く姿勢となる。したがって、図４及び５に示される例では、第２コネクタ１０１の嵌合面は下を向いている。
【００４５】
ここで、前記第２凸部１１２には、端子としての第２端子１６１が配設されている。前記第２凸部１１２の側面及び上面には、凹溝状の第２端子収容キャビティ１１５が複数形成されている。図に示される例において、第２端子収容キャビティ１１５は、例えば、約０．２〔ｍｍ〕のピッチで、６個形成されている。なお、前記第２端子収容キャビティ１１５のピッチ及び数は、前記第１端子収容キャビティ１５のピッチ及び数に対応して、適宜変更することができる。例えば、前記第２端子収容キャビティ１１５の数を偶数個でなく、奇数個とすることもできる。
【００４６】
そして、第２端子収容キャビティ１１５に収容される第２端子１６１は、向きが左右交互になるように配列される。
【００４７】
前記第２端子１６１は、導電性の金属板に打抜き、曲げ等の加工を施すことによって一体的に形成された部材であり、被保持部１６３と、該被保持部１６３の下端に接続されたテール部１６２と、前記被保持部１６３の上端に接続された上側接続部１６４と、該上側接続部１６４の他端に接続された接触部として機能する腕部１６５とを備える。なお、前記第２端子１６１は、全体として、Ｕ字とＩ字とを接続した柄杓（ひしゃく）のような側面形状を備え、Ｕ字の部分は、前記被保持部１６３、上側接続部１６４及び腕部１６５を含み、相手方端子である第１端子６１の相手方端子収容部６８に進入して収容される相手方端子嵌合部としての進入部１６８として機能する。
【００４８】
そして、前記被保持部１６３は、上下方向、すなわち、第２ハウジング１１１の厚さ方向に延在し、第２端子収容キャビティ１１５に嵌入されて保持される部分である。また、前記テール部１６２は、被保持部１６３に対して曲げて接続され、左右方向、すなわち、第２ハウジング１１１の幅方向に外方を向いて延出し、第２基板上の導電トレースに連結された端子接続パッドにはんだ付等によって接続される。なお、前記テール部１６２の下端から腕部１６５までの第２端子１６１の部材に沿った道筋は、距離が長く、かつ、複雑に屈折しているので、はんだ上がりの現象が発生することがない。すなわち、はんだが前記部材に沿った道筋を通って這い上がって腕部１６５に付着してしまうことがない。
【００４９】
さらに、前記上側接続部１６４は、左右方向、すなわち、第２ハウジング１１１の幅方向に延在し、第２端子収容キャビティ１１５における第２凸部１１２の上面に形成された部分に収容される。そして、前記上側接続部１６４の他端には、下方に向けて延出する腕部１６５の上端が接続されている。
【００５０】
また、前記第２ハウジング１１１の長手方向両端には第２嵌合ガイド部としての第２突出端部１２２が各々配設されている。該第２突出端部１２２は、第２凸部１１２の長手方向両端に接続された肉厚の部材であり、その上面は概略長方形の形状を備える。そして、前記第２突出端部１２２は、第１コネクタ１及び第２コネクタ１０１が嵌合された状態において、前記第１コネクタ１が備える第１突出端部２１の突出端凹部２２に挿入される挿入凸部として機能する。
【００５１】
そして、前述のように、第２端子１６１は、向きが左右交互になるように配列されて、第２ハウジング１１１に装填される。具体的には、第２端子１６１は、第２コネクタ１０１の長手方向、すなわち、第２ハウジング１１１の長手方向に延在する列を形成するように並べて配設されるが、列内において隣接する第２端子１６１同士は、第２コネクタ１０１の幅方向、すなわち、第２ハウジング１１１の幅方向に関して、互いに逆向きになっている。換言すると、図４に示されるように、ある一つの第２端子１６１が、そのテール部１６２が左に位置する、すなわち、第２凸部１１２の左側の側面から外方を向いて延出しているような向きで第２ハウジング１１１に装填されている場合、当該第２端子１６１に隣接する第２端子１６１は、そのテール部１６２が右に位置する、すなわち、第２凸部１１２の右側の側面から外方を向いて延出しているような向きで第２ハウジング１１１に装填されるようになっている。
【００５２】
これにより、第２端子１６１のテール部１６２の平面配置は、図３に示されるように、第２端子１６１の配列方向（第２ハウジング１１１の長手方向）に関して、交互にずれた千鳥状の配置となる。換言すると、ある一つの第２端子１６１のテール部１６２が第２凸部１１２の左側の側面の外方に位置する場合、第２凸部１１２の右側の側面の外方における対向する位置にはテール部１６２が存在せず、当該第２端子１６１に隣接する第２端子１６１のテール部１６２は第２凸部１１２の右側の側面の外方に位置し、かつ、当該第２端子１６１のテール部１６２の第２ハウジング１１１の長手方向に隣接する位置にはテール部１６２が存在していない。そのため、第２凸部１１２の左右それぞれの側面の外方におけるテール部１６２の第２ハウジング１１１の長手方向に関する間隔、すなわち、ピッチは、第２端子１６１のピッチの倍になる。
【００５３】
したがって、隣接する第２端子１６１同士のピッチが狭くても、第２コネクタ１０１の左右両側におけるテール部１６２のピッチ、及び、各テール部１６２に対応するように第２基板の実装面上に形成された端子接続パッド等のピッチを広くすることができる。そのため、端子接続パッド等を容易に製作することができるとともに、第２端子１６１のテール部１６２を対応する端子接続パッドとはんだ付する際にも、はんだブリッジが発生することがなく、隣接する端子接続パッド等の間で短絡が生じることがない。
【００５４】
なお、第２端子１６１のＵ字の部分である進入部１６８は、第２端子１６１の配列方向に関して、オーバーラップする。隣接する第２端子１６１の進入部１６８同士は、第２ハウジング１１１の長手方向両端から観ると、ある程度重なっている。望ましくは、各第２端子１６１の進入部１６８における第２ハウジング１１１の幅方向に関する中心を結ぶ線は、第２ハウジング１１１の長手方向に延在する直線とほぼ一致する。
【００５５】
これにより、第２コネクタ１０１は、相手方端子収容部６８がオーバーラップするように配列された第１端子６１を備える第１コネクタ１と嵌合可能となる。
【００５６】
次に、前記構成の第１コネクタ１と第２コネクタ１０１とを嵌合する動作について説明する。
【００５７】
第１コネクタ１と第２コネクタ１０１とを嵌合させる際には、第１コネクタ１は、第１端子６１のテール部６２が第１基板上の端子接続パッドにはんだ付等によって接続されることにより、あらかじめ第１基板に表面実装されているものとする。また、第２コネクタ１０１は、第２端子１６１のテール部１６２が第２基板上の端子接続パッドにはんだ付等によって接続されることにより、あらかじめ第２基板に表面実装されているものとする。
【００５８】
オペレータは、第１コネクタ１の嵌合面と第２コネクタ１０１の嵌合面とを対向させた状態として、第１コネクタ１と第２コネクタ１０１との位置合せを行い、第１コネクタ１及び／又は第２コネクタ１０１を相手側に接近する方向、すなわち、嵌合方向に移動させる。
【００５９】
これにより、第２コネクタ１０１の幅方向中央の第２凸部１１２が第１コネクタ１の幅方向中央の凹部１２内に挿入される。そして、各第１端子６１の相手方端子収容部６８内に第２コネクタ１０１の第２端子１６１の進入部１６８が進入して収容され、第１端子６１の腕部６５の接触凸部６５ａが第２端子１６１の腕部１６５の表面に接触する。この際、第１端子６１における腕部６５がばね部材として機能し、第２端子１６１の腕部１６５によって押圧されることにより、弾性的に変形し、腕部６５と上下接続部６６との間隔は、押広げられて伸長する。
【００６０】
そして、第１コネクタ１と第２コネクタ１０１との嵌合が完了すると、図３〜５に示されるようになる。その結果、第１端子６１のテール部６２が接続された第１基板上の端子接続パッドに接続された導電トレースと、第２端子１６１のテール部１６２が接続された第２基板上の端子接続パッドに接続された導電トレースとが導通する。
【００６１】
なお、第１端子６１及び第２端子１６１は、第１端子６１のテール部６２と、当該第１端子６１と接触する第２端子１６１のテール部１６２とが、左右同じ方向に位置するように、第１ハウジング１１及び第２ハウジング１１１にそれぞれ装填されている。つまり、図４に示されるように、第１コネクタ１と第２コネクタ１０１とを嵌合した状態において、ある一つの第１端子６１のテール部６２が図において左に位置する場合、当該第１端子６１に接触する第２端子１６１のテール部１６２も図において左に位置する。
【００６２】
このように、本実施の形態においては、第１端子６１と、第１端子６１が装填された第１ハウジング１１とを有する第１コネクタ１と、第１端子６１と接触する第２端子１６１と、第２端子１６１が装填された第２ハウジング１１１とを有し、第１コネクタ１と嵌合する第２コネクタ１０１とを含み、第１端子６１は、第１ハウジング１１の長手方向に延在する列を形成するように並べて配列され、かつ、列内において隣接する第１端子６１同士が第１ハウジング１１の幅方向に関して互いに逆向きになるように装填され、第２端子１６１は、第２ハウジング１１１の長手方向に延在する列を形成するように並べて配列され、かつ、列内において隣接する第２端子１６１同士が第２ハウジング１１１の幅方向に関して互いに逆向きになるように装填される。
【００６３】
これにより、強度を低下させることなく幅を狭くすることができ、確実に実装を行うことができるので、製造コストを低く抑え、信頼性を高くすることができる。例えば、第１ハウジング１１を一つの谷を挟んだ二山状とし、第２ハウジング１１１を一山状とすることができるので、全体の幅を狭くすることができる。
【００６４】
また、第１端子６１は第１コネクタ１が実装される第１基板に接続されるテール部６２を備え、テール部６２の平面配置が千鳥状であり、第２端子１６１は第２コネクタ１０１が実装される第２基板に接続されるテール部１６２を備え、テール部１６２の平面配置が千鳥状である。したがって、テール部６２の第１基板への接続及びテール部１６２の第２基板への接続を容易に、かつ、確実に行うことができ、第１コネクタ１及び第２コネクタ１０１を第１基板及び第２基板に短時間で確実に実装することができる。
【００６５】
さらに、第１ハウジング１１の幅方向両側における第１端子６１のテール部６２の配列方向のピッチは、第１端子６１の配列方向のピッチの倍であり、第２ハウジング１１１の幅方向両側における第２端子１６１のテール部１６２の配列方向のピッチは、第２端子１６１の配列方向のピッチの倍である。したがって、第１端子６１同士のピッチ及び第２端子１６１同士のピッチが狭くても、左右両側におけるテール部６２及び１６２のピッチ、並びに、各テール部６２及び１６２に対応するように第１基板及び第２基板の実装面上に形成された端子接続パッド等のピッチを広くすることができる。これにより、端子接続パッド等を容易に製作することができるとともに、第１端子６１及び第２端子１６１のテール部６２及び１６２を対応する端子接続パッドとはんだ付する際にも、はんだブリッジが発生することがなく、隣接する端子接続パッド等の間で短絡が生じることがない。
【００６６】
さらに、第１端子６１は第２端子１６１と嵌合する相手方端子収容部６８を備え、相手方端子収容部６８は第１端子６１の配列方向に関してオーバーラップし、第２端子１６１は第１端子６１と嵌合する進入部１６８を備え、進入部１６８は第２端子１６１の配列方向に関してオーバーラップする。これにより、第１コネクタ１と第２コネクタ１０１とを容易、かつ、確実に嵌合することができる。
【００６７】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００６８】
図６は本発明の第２の実施の形態における第１コネクタ及び第２コネクタが嵌合した状態を示す断面図である。
【００６９】
本実施の形態において、第１端子６１及び第２端子１６１は、第１端子６１のテール部６２と、当該第１端子６１と接触する第２端子１６１のテール部１６２とが、左右異なる方向に位置するように、第１ハウジング１１及び第２ハウジング１１１にそれぞれ装填されている。
【００７０】
つまり、本実施の形態においては、図６に示されるように、第１コネクタ１と第２コネクタ１０１とを嵌合した状態において、ある一つの第１端子６１のテール部６２が図において左に位置する場合、当該第１端子６１に接触する第２端子１６１のテール部１６２は図において右に位置する。
【００７１】
そのため、本実施の形態における第２コネクタ１０１では、被保持部１６３が接触部として機能し、第１端子６１の腕部６５の接触凸部６５ａが第２端子１６１の被保持部１６３の表面に接触する。
【００７２】
なお、第１コネクタ１及び第２コネクタ１０１のその他の点の構成及び動作については、前記第１の実施の形態と同様であるので、その説明を省略する。
【００７３】
このように、本実施の形態においては、第１コネクタ１と第２コネクタ１０１とが嵌合した状態において、互いに接触する第１端子６１及び第２端子１６１のテール部６２及び１６２は、第１ハウジング１１及び第２ハウジング１１１の幅方向逆側に位置する。つまり、第１端子６１のテール部６２と、当該第１端子６１と接触する第２端子１６１のテール部１６２とが、左右異なる方向に位置する。そのため、第２端子１６１のテール部１６２は、第１端子６１の上側接続部６７に対向する位置でなく、第１端子６１の腕部６５の先端に対向する位置にあり、腕部６５の先端から離れている。
【００７４】
したがって、第２端子１６１のテール部１６２を第２基板上の端子接続パッドにはんだ付によって接続する際に、余剰のはんだがテール部１６２の上面（図６における下面）に多量に付着して盛上がったとしても、盛上がったはんだが第１端子６１に接触して、短絡が発生してしまうことがない。
【００７５】
次に、本発明の第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００７６】
図７は本発明の第３の実施の形態における第１コネクタ及び第２コネクタが嵌合した状態を示す斜視図であり第１ハウジング及び第２ハウジングの一部を削除した図、図８は本発明の第３の実施の形態における第１コネクタ及び第２コネクタが嵌合した状態を示す断面図である。
【００７７】
本実施の形態において、第２端子１６１の腕部１６５は、図７及び８に示されるように、上下方向、すなわち、第２ハウジング１１１の厚さ方向に対して傾斜した方向に延在し、その先端、すなわち、自由端における被保持部１６３までの距離が、その基端、すなわち、上側接続部１６４との接続端における被保持部１６３までの距離よりも大きくなっている。つまり、前記腕部１６５は、自由端が第２凸部１１２の側面から離れ、第２ハウジング１１１の幅方向外側に向うように、傾斜している。そして、前記腕部１６５は、カンチレバー状のばね部材として機能し、自由端が弾性的に変位可能となっている。
【００７８】
前記第２端子１６１の腕部１６５がこのような形状を備えているので、第１コネクタ１と第２コネクタ１０１とが嵌合し、第１端子６１の相手方端子収容部６８内に第２端子１６１の進入部１６８が進入して収容されると、第１端子６１の腕部６５の接触凸部６５ａが第２端子１６１の被保持部１６３の表面に接触するとともに、第１端子６１の上下接続部６６が第２端子１６１の腕部１６５の表面に接触する。
【００７９】
この際、第１端子６１における腕部６５は、ばね部材として機能し、第２端子１６１の被保持部１６３によって押圧されることにより、上下接続部６６との間隔が広がる方向に、弾性的に変形する。また、第２端子１６１における腕部１６５も、ばね部材として機能し、第１端子６１の上下接続部６６によって押圧されることにより、被保持部１６３との間隔が狭まる方向に、弾性的に変形する。
【００８０】
なお、第１コネクタ１及び第２コネクタ１０１のその他の点の構成及び動作については、前記第２の実施の形態と同様であるので、その説明を省略する。
【００８１】
このように、本実施の形態においては、第１コネクタ１と第２コネクタ１０１とが嵌合した状態において、互いに接触する第１端子６１及び第２端子１６１同士は、複数点で接触する。つまり、第１端子６１における腕部６５及び第２端子１６１における腕部１６５がばね部材として機能し、それぞれ、第２端子１６１の被保持部１６３及び第１端子６１の上下接続部６６と接触して導通する。すなわち、第１端子６１と第２端子１６１とは少なくとも２箇所の接触部で接触する複数点接触の状態となるので、相互の接触状態が安定的で確実なものとなる。
【００８２】
なお、本発明は前記実施の形態に限定されるものではなく、本発明の趣旨に基づいて種々変形させることが可能であり、それらを本発明の範囲から排除するものではない。
【産業上の利用可能性】
【００８３】
本発明は、コネクタに適用することができる。
【符号の説明】
【００８４】
１    第１コネクタ
１１    第１ハウジング
１２、６３ｂ、８１２      凹部
１４    側壁部
１５ａ    第１端子収容内側キャビティ
１５ｂ    第１端子収容外側キャビティ
１６    端子固定孔
１６ａ、６３ａ    凸部
１８    底板部
２１    第１突出端部
２１ｂ    側壁延長部
２１ｃ    端壁部
２２    突出端凹部
６１    第１端子
６２、１６２    テール部
６３、１６３    被保持部
６４    下側接続部
６５、１６５    腕部
６５ａ    接触凸部
６６    上下接続部
６７、１６４    上側接続部
６８    相手方端子収容部
１０１    第２コネクタ
１１１    第２ハウジング
１１２    第２凸部
１１５    第２端子収容キャビティ
１２２    第２突出端部
１６１    第２端子
１６８    進入部
８０１    レセプタクルコネクタ
８１１    レセプタクルハウジング
８１３    係合凸部
８６１    レセプタクル端子
９０１    プラグコネクタ
９１１    プラグハウジング
９１３    係合凹部
９６１    プラグ端子
【図１】
0005642611.tif 000002
【図２】
0005642611.tif 000003
【図３】
0005642611.tif 000004
【図４】
0005642611.tif 000005
【図５】
0005642611.tif 000006
【図６】
0005642611.tif 000007
【図７】
0005642611.tif 000008
【図８】
0005642611.tif 000009
【図９】
0005642611.tif 000010